(57)【要約】  ＵＩ提供方法及びそれを適用した映像撮影装置を提供する。本映像撮影装置のＵＩ提供方法は、映像を撮影し、撮影された映像を分析し、撮影された映像の情報を生成して保存し、映像探索ＵＩの生成のためのユーザ命令が入力されると、撮影された映像の情報を用いて複数のカテゴリのそれぞれに対応する複数のリストを含む映像探索ＵＩをディスプレイする。それにより、ユーザは多様なカテゴリを基準に自分所望の映像を検索することができるようになる。
2015508604.tif 000002
【特許請求の範囲】
【請求項１】
映像撮影装置のＵＩ提供方法において、
映像を撮影するステップと、
前記撮影された映像を分析し、前記撮影された映像の情報を生成して保存するステップと、
映像探索ＵＩの生成のためのユーザ命令が入力されると、前記撮影された映像の情報を用いて複数のカテゴリのそれぞれに対応する複数のリストを含む前記映像探索ＵＩをディスプレイするステップと
を含むＵＩ提供方法。
【請求項２】
前記複数のリストのそれぞれは、
対応するカテゴリ内で探索条件を変更する探索条件メニュー及び前記探索条件メニューによって変更された探索条件を満たす映像のサムネールイメージをディスプレイすることを特徴とする請求項１に記載のＵＩ提供方法。
【請求項３】
映像探索ＵＩの生成のためのユーザ命令が入力されると、前記探索条件メニューは、撮影された映像の数が最大になる検索条件または撮影された映像の数が最小になる検索条件が選択されることを特徴とする請求項２に記載のＵＩ提供方法。
【請求項４】
前記複数のカテゴリは、
前記撮影された映像内に含まれた人物の数に対するカテゴリ、前記撮影された映像のモードに対するカテゴリ、前記撮影された映像の撮影位置に対するカテゴリ及び前記撮影された映像の設定に対するカテゴリのうち、少なくとも１つを含むことを特徴とする請求項１に記載のＵＩ提供方法。
【請求項５】
前記情報を生成して保存するステップは、
顔認識機能を用いて前記撮影された映像内に含まれた人物の数を分析し、前記撮影された映像に含まれた人物の数に関する情報を生成して保存し、
前記映像探索ＵＩは、
前記撮影された映像内に含まれた人物の数に対するカテゴリに対するリストを含むことを特徴とする請求項４に記載のＵＩ提供方法。
【請求項６】
前記情報を生成して保存するステップは、
前記撮影された映像の撮影モードを分析し、前記撮影された映像の撮影モードに関する情報を生成して保存し、
前記映像探索ＵＩは、
前記撮影された映像の撮影モードに対するカテゴリに対するリストを含むことを特徴とする請求項４に記載のＵＩ提供方法。
【請求項７】
前記情報を生成して保存するステップは、
前記撮影された映像の撮影時のＧＰＳ（Ｇｌｏｂａｌ  Ｐｏｓｉｔｉｏｎｉｎｇ  Ｓｙｓｔｅｍ）情報を用いて、前記撮影された映像の撮影位置に関する情報を生成して保存し、
前記映像探索ＵＩは、
前記撮影された映像の撮影位置に対するカテゴリに対するリストを含むことを特徴とする請求項４に記載のＵＩ提供方法。
【請求項８】
前記情報を生成して保存するステップは、
前記撮影された映像の設定情報を分析し、前記撮影された映像の設定情報に関する情報を生成して保存し、
前記映像探索ＵＩは、
前記撮影された映像の設定情報に対するカテゴリに対するリストを含むことを特徴とする請求項４に記載のＵＩ提供方法。
【請求項９】
ユーザ操作によって、前記映像探索ＵＩに含まれた複数のリストのうち少なくとも１つを別のカテゴリに対応するリストに変更するステップを更に含むことを特徴とする請求項１に記載のＵＩ提供方法。
【請求項１０】
前記映像探索ＵＩにディスプレイされた複数のサムネールイメージのうちの１つが選択されると、前記選択されたサムネールイメージに対応する映像を全画面でディスプレイするステップを更に含むことを特徴とする請求項１に記載のＵＩ提供方法。
【請求項１１】
前記映像探索ＵＩにディスプレイされた複数のサムネールイメージのうちの１つが選択されると、前記選択されたサムネールイメージに対応する映像を予め設定された保存領域に保存するステップを更に含むことを特徴とする請求項１に記載のＵＩ提供方法。
【請求項１２】
全探索条件命令が入力されると、前記複数のカテゴリに対する探索条件を全て満たす映像に対応するサムネールイメージをディスプレイするステップを更に含むことを特徴とする請求項１に記載のＵＩ提供方法。
【請求項１３】
ユーザの入力によって、前記複数の探索条件メニューのうち少なくとも１つの探索条件が選択され、検索命令が入力されると、前記選択された探索条件を満たす領域に対応するサムネールイメージをディスプレイするステップを更に含むことを特徴とする請求項２に記載のＵＩ提供方法。
【請求項１４】
映像撮影装置において、
映像を撮影する撮影部と、
撮影された映像及び撮影された映像の情報を保存する保存部と、
ディスプレイ部と、
前記撮影部によって撮影された映像を分析し、前記撮影された映像の情報を生成し、映像探索ＵＩの生成のためのユーザ命令が入力されると、前記撮影された映像の情報を用いて複数のカテゴリのそれぞれに対応する複数のリストを含む前記映像探索ＵＩをディスプレイするように前記ディスプレイ部を制御する制御部と
を含むことを特徴とする映像撮影装置。
【請求項１５】
前記複数のリストのそれぞれは、
対応するカテゴリ内で探索条件を変更する探索条件メニュー及び前記探索条件メニューによって変更された探索条件を満たす映像のサムネールイメージをディスプレイすることを特徴とする請求項１４に記載の映像撮影装置。
【発明の詳細な説明】
【技術分野】
【０００１】
本発明は、ＵＩ提供方法及びそれを適用した映像撮影装置に関し、より詳細には、複数のカテゴリによって撮影された映像を探索するためのＵＩとして提供するＵＩ提供方法及びそれを適用した映像撮影装置に関する。
【背景技術】
【０００２】
映像撮影装置の機能が発達し、保存空間が増えることにより、映像撮影装置に保存される映像データの種類及び数が幾何級数的に増えている。
【０００３】
このように映像データの数が増加するにもかかわらず、ユーザは数多くの映像データの中からユーザ所望の映像を探索するために、一々撮影された映像を確認しなければならないという不都合が生じていた。
【０００４】
よって、ユーザがより便宜に撮影された映像を探索し、自分所望の映像を探し出すことのできる方策への模索が求められる。
【発明の概要】
【発明が解決しようとする課題】
【０００５】
そこで、本発明は、上記問題に鑑みてなされたものであり、本発明の目的とするところは、撮影された映像の情報を用いて複数のカテゴリのそれぞれに対応する複数のリストを含む映像探索ＵＩを提供するＵＩ提供方法及びそれを適用した映像撮影装置を提供することにある。
【課題を解決するための手段】
【０００６】
前記目的を達成するための本発明の一実施形態に係る映像撮影装置のＵＩ提供方法は、映像を撮影するステップと、前記撮影された映像を分析し、前記撮影された映像の情報を生成して保存するステップと、映像探索ＵＩの生成のためのユーザ命令が入力されると、前記撮影された映像の情報を用いて複数のカテゴリのそれぞれに対応する複数のリストを含む前記映像探索ＵＩをディスプレイするステップとを含む。
【０００７】
そして、前記複数のリストのそれぞれは、対応するカテゴリ内で探索条件を変更する探索条件メニュー及び前記探索条件メニューによって変更された探索条件を満たす映像のサムネールイメージをディスプレイしてよい。
【０００８】
なお、映像探索ＵＩの生成のためのユーザ命令が入力されると、前記探索条件メニューは、撮影された映像の数が最大になる検索条件または撮影された映像の数が最小になる検索条件が選択されてよい。
【０００９】
そして、前記複数のカテゴリは、前記撮影された映像内に含まれた人物の数に対するカテゴリ、前記撮影された映像のモードに対するカテゴリ、前記撮影された映像の撮影位置に対するカテゴリ及び前記撮影された映像の設定に対するカテゴリのうち、少なくとも１つを含んでよい。
【００１０】
なお、前記情報を生成して保存するステップは、顔認識機能を用いて前記撮影された映像内に含まれた人物の数を分析し、前記撮影された映像に含まれた人物の数に関する情報を生成して保存し、前記映像探索ＵＩは、前記撮影された映像内に含まれた人物の数に対するカテゴリに対するリストを含んでよい。
【００１１】
そして、前記情報を生成して保存するステップは、前記撮影された映像の撮影モードを分析し、前記撮影された映像の撮影モードに関する情報を生成して保存し、前記映像探索ＵＩは、前記撮影された映像の撮影モードに対するカテゴリに対するリストを含んでよい。
【００１２】
なお、前記情報を生成して保存するステップは、前記撮影された映像の撮影時のＧＰＳ（Ｇｌｏｂａｌ  Ｐｏｓｉｔｉｏｎｉｎｇ  Ｓｙｓｔｅｍ）情報を用いて、前記撮影された映像の撮影位置に関する情報を生成して保存し、前記映像探索ＵＩは、前記撮影された映像の撮影位置に対するカテゴリによって前記撮影された映像を含んでよい。
【００１３】
そして、前記情報を生成して保存するステップは、前記撮影された映像の設定情報を分析し、前記撮影された映像の設定情報に関する情報を生成して保存し、前記映像探索ＵＩは、前記撮影された映像の設定情報に対するカテゴリに対するリストを含んでよい。
【００１４】
なお、ユーザ操作によって、前記映像探索ＵＩに含まれた複数のリストのうち少なくとも１つを別のカテゴリに対応するリストに変更するステップを更に含んでよい。
【００１５】
そして、前記映像探索ＵＩにディスプレイされた複数のサムネールイメージのうちの１つが選択されると、前記選択されたサムネールイメージに対応する映像を全画面でディスプレイするステップを更に含んでよい。
【００１６】
なお、前記映像探索ＵＩにディスプレイされた複数のサムネールイメージのうちの１つが選択されると、前記選択されたサムネールイメージに対応する映像を予め設定された保存領域に保存するステップを更に含んでよい。
【００１７】
そして、全探索条件命令が入力されると、前記複数のカテゴリに対する探索条件を全て満たす映像に対応するサムネールイメージをディスプレイするステップを更に含んでよい。
【００１８】
なお、ユーザの入力によって、前記複数の探索条件メニューのうち少なくとも１つの探索条件が選択され、検索命令が入力されると、前記選択された探索条件を満たす領域に対応するサムネールイメージをディスプレイするステップを更に含んでよい。
【００１９】
一方、前記目的を達成するための本発明の一実施形態に係る映像撮影装置は、映像を撮影する撮影部と、撮影された映像及び撮影された映像の情報を保存する保存部と、ディスプレイ部と、前記撮影部によって撮影された映像を分析し、前記撮影された映像の情報を生成し、映像探索ＵＩの生成のためのユーザ命令が入力されると、前記撮影された映像の情報を用いて複数のカテゴリのそれぞれに対応する複数のリストを含む前記映像探索ＵＩをディスプレイするように前記ディスプレイ部を制御する制御部とを含む。
【００２０】
そして、前記複数のリストのそれぞれは、対応するカテゴリ内で探索条件を変更する探索条件メニュー及び前記探索条件メニューによって変更された探索条件を満たす映像のサムネールイメージをディスプレイしてよい。
【００２１】
なお、映像探索ＵＩの生成のためのユーザ命令が入力されると、前記探索条件メニューは、撮影された映像の数が最大になる検索条件または撮影された映像の数が最小になる検索条件が選択されてよい。
【００２２】
そして、前記複数のカテゴリは、前記撮影された映像内に含まれた人物の数に対するカテゴリ、前記撮影された映像のモードに対するカテゴリ、前記撮影された映像の撮影位置に対するカテゴリ及び前記撮影された映像の設定に対するカテゴリのうち、少なくとも１つを含んでよい。
【００２３】
なお、前記制御部は、顔認識機能を用いて前記撮影された映像内に含まれた人物の数を分析し、前記撮影された映像に含まれた人物の数に関する情報を生成して保存し、前記映像探索ＵＩは、前記撮影された映像内に含まれた人物の数に対するカテゴリに対するリストを含んでよい。
【００２４】
そして、前記制御部は、前記撮影された映像の撮影モードを分析し、前記撮影された映像の撮影モードに関する情報を生成して保存し、前記映像探索ＵＩは、前記撮影された映像の撮影モードに対するカテゴリに対するリストを含んでよい。
【００２５】
なお、前記制御部は、前記撮影された映像の撮影時のＧＰＳ（Ｇｌｏｂａｌ  Ｐｏｓｉｔｉｏｎｉｎｇ  Ｓｙｓｔｅｍ）情報を用いて、前記撮影された映像の撮影位置に関する情報を生成して保存し、前記映像探索ＵＩは、前記撮影された映像の撮影位置に対するカテゴリによって前記撮影された映像を含んでよい。
【００２６】
そして、前記制御部は、前記撮影された映像の設定情報を分析し、前記撮影された映像の設定情報に関する情報を生成して保存し、前記映像探索ＵＩは、前記撮影された映像の設定情報に対するカテゴリに対するリストを含んでよい。
【００２７】
なお、前記制御部は、ユーザ操作によって、前記映像探索ＵＩに含まれた複数のリストのうち少なくとも１つを別のカテゴリに対応するリストに変更してよい。
【００２８】
そして、前記制御部は、前記映像探索ＵＩにディスプレイされた複数のサムネールイメージのうちの１つが選択されると、前記選択されたサムネールイメージに対応する映像を全画面でディスプレイするように前記ディスプレイ部を制御してよい。
【００２９】
なお、前記制御部は、前記映像探索ＵＩにディスプレイされた複数のサムネールイメージのうちの１つが選択されると、前記選択されたサムネールイメージに対応する映像を前記保存部の予め設定された保存領域に保存してよい。
【００３０】
そして、前記制御部は、全探索条件命令が入力されると、前記複数のカテゴリに対する探索条件を全て満たす映像に対応するサムネールイメージを検索して前記ディスプレイ部にディスプレイしてよい。
【００３１】
なお、前記制御部は、ユーザの入力によって、前記複数の探索条件メニューのうち少なくとも１つの探索条件が選択され、検索命令が入力されると、前記選択された探索条件を満たす領域に対応するサムネールイメージをディスプレイしてよい。
【図面の簡単な説明】
【００３２】
【図１】本発明の一実施形態に係る映像撮影装置の構成を示すブロック図である。
【図２】本発明の一実施形態に係る映像探索ＵＩを説明するための図である。
【図３】本発明の一実施形態に係る映像探索ＵＩを説明するための図である。
【図４】本発明の一実施形態に係る映像探索ＵＩを説明するための図である。
【図５】本発明の一実施形態に係る映像探索ＵＩを説明するための図である。
【図６】本発明の一実施形態に係る映像探索ＵＩを説明するための図である。
【図７】本発明の一実施形態に係るサムネールイメージ提供方法を説明するためのフローチャートである。
【発明を実施するための形態】
【００３３】
以下に添付図面を参照しながら、本発明の好適な実施形態について詳細に説明する。
【００３４】
図１は、本発明の一実施形態に係る映像撮影装置の構成を示すブロック図である。図１に示すように、映像撮影装置１００は、撮影部１１０と、映像処理部１２０と、ディスプレイ部１３０と、ＵＩ生成部１４０と、保存部１５０と、ユーザ入力部１６０及び制御部１７０を含む。このとき、本発明の一実施形態に係る映像撮影装置１００は、デジタルカメラであってよいが、それに限定されるわけではなく、撮影部の存在する携帯電話、ＰＤＡ、タブレットパソコン、カムコーダ、テレビ等で実現されてよい。
【００３５】
映像撮影装置１００は、オブジェクトに対するイメージを生成するために、少なくとも１つのオブジェクトを撮影することができる。撮影部１１０は、映像撮影装置１００のハウジングに配置される。そして、映像撮影装置１００の構成要素は、各機能を実行するために、映像撮影装置１００のハウジングの内部に配置される。撮影されたイメージは、スチールイメージまたは動画イメージであってよい。映像撮影装置１００は、動画を示すための代表イメージとして、動画に含まれたスチールイメージを選択するためのユニットを含むことができる。スチールイメージ及び代表イメージは、撮影されたイメージに関連してよい。
【００３６】
撮影部１１０は不図示のシャッタ、レンズ部、絞り及びＣＣＤ（Ｃｈａｒｇｅ  Ｃｏｕｐｌｅｄ  Ｄｅｖｉｃｅ）イメージセンサ及びＡＤＣ（Ａｎａｌｏｇ／Ｄｉｇｉｔａｌ  Ｃｏｎｖｅｒｔｅｒ）を含む。シャッタは、絞りとともに露光する光の量を調節する器具である。レンズ部は、外部の光源から光を受けて映像を処理する。このとき、絞りは、開閉に応じて入射される光の量（光量）を調節する。ＣＣＤイメージセンサは、レンズ部を介して入力される光量を蓄積し、その蓄積された光量に応じて、レンズ部で撮像された映像を垂直同期信号に合わせて出力する。映像撮影装置１００の映像獲得は、被写体から反射されて出る光を電気的な信号に変換するＣＣＤイメージセンサによって行われる。ＣＣＤイメージセンサを用いてカラー映像を得るためには、カラーフィルターを必要とし、多くがＣＦＡ（Ｃｏｌｏｒ  ｆｉｌｔｅｒ  ａｒｒａｙ）というフィルターを採用している。ＣＦＡは、１ピクセルごとに１種のカラーを表す光のみを通過させて規則的に配列された構造を有しており、配列構造に応じて様々な形態を有している。ＡＤＣは、ＣＣＤイメージセンサから出力されるアナログ映像信号をデジタル信号に変換する。
【００３７】
一方、撮影部１１０が上述のように映像を撮影することは一実施形態に過ぎず、他の方法によって映像を撮影することができる。例えば、ＣＣＤイメージセンサではないＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを用いて映像を撮影することができる。
【００３８】
映像処理部１２０は、制御部１７０の制御によってデジタル変換されたＲＡＷデータをディスプレイできるように信号処理を行う。映像処理部１２０は、温度の変化に敏感なＣＣＤイメージセンサ及びＣＦＡフィルターから発生する暗電流によるブラックレベル（Ｂｌａｃｋ  ｌｅｖｅｌ）を除去する。映像処理部１２０は、人間の視覚の非線形性に合わせて情報を符号化するガンマ補正を行う。映像処理部１２０は、ガンマ補正された所定データのＲＧＲＧライン及びＧＢＧＢラインで実現されたバイヤ（Ｂａｙｅｒ）パターンをＲＧＢラインに補完するＣＦＡ補完を行う。映像処理部１２０は、補完されたＲＧＢ信号をＹＵＶ信号に変換し、高帯域フィルターによってＹ信号をフィルタリングして映像をくっきりと処理するエッジ補償と、標準カラー座標系を用いてＵ、Ｖ信号のカラー値を訂正するカラー訂正を行い、これらのノイズを除去する。映像処理部１２０は、ノイズの除去されたＹ、Ｕ、Ｖ信号を圧縮及び信号処理してＪＰＥＧファイルを生成し、生成されたＪＰＥＧファイルはディスプレイ部１３０にディスプレイされ、保存部１５０に保存される。そして、生成されたＪＰＥＧファイルは、インターフェース部（図示せず）を介して映像撮影装置１００と有／無線で接続された映像撮影装置１００の外部に伝送されてよい。
【００３９】
一方、映像処理部１２０が上述のように映像を処理することは一実施形態に過ぎず、他の方法によって映像を処理することができる。
【００４０】
ディスプレイ部１３０は、映像処理部１２０で処理された映像データまたは保存部１５０に保存された映像データをディスプレイする。なお、ディスプレイ部１３０は、ＵＩ生成部１４０によって生成されたＵＩをディスプレイする。特に、ディスプレイ部１３０は、制御部１７０の制御によって、複数の映像データのそれぞれに対応する複数のサムネールイメージが含まれたサムネールイメージリストをディスプレイすることができる。ディスプレイ部１３０は、映像撮影装置１００によって撮影された映像をディスプレイすることができる。ディスプレイ部１３０は、イメージ、イメージデータ、そしてユーザ選択によるＵＩのうち、少なくとも１つをディスプレイすることができる。
【００４１】
ＵＩ生成部１４０は、制御部１７０の制御によってＯＳＤ（Ｏｎ  Ｓｃｒｅｅｎ  Ｄｉｓｐｌａｙ）の形態のＵＩを生成する。特に、ＵＩ生成部１４０は、撮影部１１０によって撮影された映像を探索するための映像探索ＵＩを生成する。このとき、映像探索ＵＩには、複数のカテゴリのそれぞれに対応する複数のリストが含まれる。ここで、複数のカテゴリは、撮影された映像の中に含まれた人物の数に対するカテゴリ、撮影された映像のモードに対するカテゴリ、撮影された映像の撮影位置に対するカテゴリ及び撮影された映像の設定に対するカテゴリのうち、少なくとも１つを含む。
【００４２】
保存部１５０は、映像撮影装置１００を駆動するためのプログラム及びデータが保存されており、映像処理部１２０で処理された映像データを保存する。なお、保存部１５０は、制御部１７０によって分析された映像の情報を併せて保存することができる。
【００４３】
ユーザ入力部１６０には、ユーザの命令が入力される。このとき、ユーザ入力部１６０は、映像撮影装置１００の外部に具備されたシャッタ、ボタン及びタッチスクリーン等で実現されてよい。
【００４４】
制御部１７０は、ユーザ入力部１６０を介して入力されたユーザ命令に応じて、映像撮影装置１００の動作全般を制御する。特に、制御部１７０は、撮影部１１０によって撮影された映像を分析し、撮影された映像の情報を生成し、生成された情報を保存部１５０に保存する。このとき、撮影された映像の情報は撮影された映像に含まれた人物の数、撮影された映像の撮影モード、撮影された映像の撮影位置及び撮影された映像の設定情報のうち、少なくとも１つを含む。
【００４５】
情報は、撮影されたイメージの少なくとも１つの第１オブジェクトの少なくとも１つの特性、前記第１オブジェクトの周辺に配置された少なくとも１つの第２オブジェクトの少なくとも１つの特性、映像撮影装置１００の撮影動作が行われた際の少なくとも１つの環境の少なくとも１つの特性、映像撮影装置１００が撮影環境に応じて駆動するための少なくとも１つの機械的な構造特性、撮影されたイメージを処理するための少なくとも１つの処理方法、映像撮影装置１００の動作による少なくとも１つのユーザの好みに対する特性であってよい。
【００４６】
制御部１７０は、顔認識技術を用いて撮影された映像の中に含まれた人物の数を分析する。制御部１７０は、撮影された映像のピクセルを分析して人の特定部位（例えば、目）を検出することがで、撮影された映像内に含まれた人の顔を認識して人物の数を分析することができる。顔を認識する方法は、上述の実施形態の他の方法を用いて撮影された映像内に含まれた人の顔を認識することができる。そして、制御部１７０は、分析された人物の数に関する情報を撮影された映像のインデックスとして保存部１５０に保存されてよい。
【００４７】
なお、制御部１７０は、撮影当時に設定された撮影モードを分析し、撮影された映像の撮影モードを分析することができる。すなわち、制御部１７０は映像が撮影されると、撮影当時の撮影モードを撮影された映像の撮影モードとして確認することができる。そして、制御部１７０は、撮影モードに関する情報を撮影された映像のインデックスとして保存部１５０に保存することができる。この場合、映像撮影装置１００は、インターフェース部（図示せず）を介してＧＰＳ情報を受信するために、外部装置と通信するための通信部（図示せず）を含むことができる。
【００４８】
なお、制御部１７０は、撮影当時のＧＰＳ情報を用いて、撮影された映像の撮影位置を分析することができる。すなわち、制御部１７０は、映像が撮影された当時のＧＰＳ情報を分析して撮影位置を確認することができる。そして、制御部１７０は、撮影位置に関する情報を撮影された映像のインデックスとして保存部１５０に保存することができる。
【００４９】
なお、制御部１７０は、撮影当時の各種設定情報を分析し、撮影された映像の設定情報を分析することができる。このとき、設定情報は、撮影された映像のＩＳＯ値、撮影された映像が静止映像か動画か否か、撮影された映像のフラッシュ動作有無等を含むことができる。しかし、それは一実施形態に過ぎず、撮影された映像の別の設定情報も、本願発明の技術的な思想が適用されてよい。そして、制御部１７０は、分析された設定情報を撮影された映像のインデックスとして保存部１５０に保存することができる。
【００５０】
そして、ユーザ入力部１６０を介して映像探索ＵＩの生成のためのユーザ命令が入力されると、制御部１７０は保存部１５０に保存された撮影された映像の情報を用いて、撮影された映像を探索するための映像探索ＵＩをディスプレイするようにディスプレイ部１３０を制御する。
【００５１】
図２に示す映像探索ＵＩ２００は、ディスプレイ部の１スクリーン（例えば、ディスプレイユニット１３０）にディスプレイするために、ＵＩ生成部１４０から生成された映像探索ＵＩの一実施形態である。
【００５２】
映像探索ＵＩ２００は、複数のカテゴリのそれぞれに対応する複数のリストを含む。例えば、映像探索ＵＩ２００は、図２に示すように、人数カテゴリに対する第１リスト２１０（以下、「第１リスト」という）、撮影モードカテゴリに対する第２リスト２２０（以下、「第２リスト」という）、及び撮影位置カテゴリに対する第３リスト２３０（以下、「第３リスト」）を含むことができる。
【００５３】
そして、複数のリスト２１０、２２０、２３０は、それぞれに対応するカテゴリ内で探索条件を変更する探索条件メニュー及び前記探索条件メニューによって変更された探索条件を満たす映像のサムネールイメージを含む。例えば、第１リスト２１０は、人数に対する探索条件を変更する第１探索条件メニュー２１５及び第１探索条件メニューによって設定された探索条件（例えば、人物のない映像）を満たす映像のサムネールイメージ２１１、２１２を含む。なお、第２リスト２２０は、撮影モードに対する探索条件を変更する第２探索条件メニュー２２５及び第２探索条件メニューによって設定された探索条件（例えば、サンセット（Ｓｕｎｓｅｔ）モード）を満たす映像のサムネールイメージ２２１、２２２を含む。なお、第３リスト２３０は、撮影位置に対する探索条件を変更する第３探索条件メニュー２３５及び第３探索条件メニューによって設定された探索条件（例えば、スウォン（水原））を満たす映像のサムネールイメージ２３１、２３２を含む。
【００５４】
具体的に、第１探索条件は人物の数に関係なく、全イメージによって、“ａｌｌ”、人物のないイメージに係る“ｎｏ  ｐｅｒｓｏｎ”及び人物が一人含まれたイメージに係る“１  ｐｅｒｓｏｎ”を含むことができる。
【００５５】
第２探索条件は、イメージが夜間モードまたは夜間に撮影された場合、“ｎｉｇｈｔ”、イメージがサンセットモードまたはサンセットで撮影された場合“ｓｕｎｓｅｔ”及びイメージがスポーツモードまたはスポーツゲームで撮影された場合“ｓｐｏｒｔｓ”を含むことができる。
【００５６】
第３探索条件は、イメージが“ソウル”で撮影されたイメージに対応する“ソウル”、“スウォン”で撮影されたイメージに対応する“スウォン”、及び“ファソン（華城）”で撮影されたイメージに対応する“ファソン”を含むことができる。
【００５７】
複数の探索条件メニュー２１５、２２５、２３５は、全探索条件をディスプレイしない。すなわち、複数の探索条件メニュー２１５、２２５、２３５は、映像探索ＵI２２０の画面にディスプレイされた探索条件の第１部分及び映像探索ＵＩ２２０の画面にディスプレイされない探索条件の第２部分を含むことができる。この場合、映像探索ＵＩ２２０は、映像探索ＵＩ２２０のスクロールまたは選択動作によって第２部分をディスプレイするためのアイコンまたはボタンを有してよい。例えば、第１探索条件メニュー２１５は、第１探索条件（例えば、全ての人、人がない場合、人一人）とともにディスプレイされる。しかし、第１探索条件は、スクロールまたは選択動作によって、例えば、二人または三人を含んでよい。
【００５８】
複数のリスト２１０、２２０、２３０は、最も最近（直近に）撮影したイメージを複数の探索条件メニュー２１５、２２５、２３４による最も近い位置にディスプレイすることができる。最も最近撮影されたイメージが存在する場合、以前撮影されたイメージは最も最近撮影されたイメージに対してディスプレイされる空間を提供するために、次の位置に移動されてよい。
【００５９】
以前に撮影されたイメージはスクリーンから消えてよい。そして、更に別の以前に撮影されたイメージは消える前に撮影されたイメージが存在していた位置に移動されてよい。しかし、消えたイメージは、リストの部分またはリストのイメージに対するスクロール入力によって映されてよい。
【００６０】
第１探索条件メニュー２１５の探索条件は、別の探索条件と排他的ではない。すなわち、二人の人物に対する探索条件は一人の人物に対する探索条件を含むことができる。第２探索条件メニュー２２５の探索条件は重畳したり排他的であってよい。すなわち、夜の探索条件は、スポーツの探索条件を含むことができる。第３探索条件メニュー２３５の探索条件は排他的であってよい。すなわち、ソウルの探索条件は、スウォンの探索条件と排他的であってよい。
【００６１】
ここで、複数のリスト２１０、２２０、２３０に含まれた複数の探索条件メニュー２１５、２２５、２３５は、図２に示すように、探索条件と対応するようにチェックボックス２１６−１、２１６−２、２１６−３、２２６−１、２２６−２、２２６−３、２３６−１、２３６−２、２３６−３が含まれる。よって、複数のリスト２１０、２２０、２３０に含まれた探索条件メニュー２１５、２２５、２３５のうち少なくとも１つの探索条件が選択されると、選択された少なくとも１つの探索条件メニューに含まれたチェックボックスにはチェック
【００６２】
【数１】
2015508604.tif 000003
【００６３】
が表示される。そして、検索アイコン２７０が選択されると、制御部１７０は選択された少なくとも１つの探索条件を全て満たす映像に対応するサムネールイメージをディスプレイすることができる。例えば、第１探索条件メニュー２１５から“１  ｐｅｒｓｏｎ”が選択され、第２探索条件メニュー２２５から“ｓｕｎｓｅｔ”が選択され、検索アイコン２７０が選択されると、制御部１７０は保存された複数の映像のうち、人物の数が一人であり、サンセットモードに該当する映像を検索し、検索された映像に対応するサムネールイメージをディスプレイすることができる。この場合、第３探索条件メニュー２３５の第３探索条件が何も選択されなくてよい。
【００６４】
ただ、１つの探索条件メニューから２つ以上の探索条件が選択された場合、選択された探索条件のうちの１つを満たす映像に対応するサムネールイメージをディスプレイすることができる。例えば、第１探索条件メニュー２１５から“１  ｐｅｒｓｏｎ”が選択され、第１探索条件メニュー２１５から“２  ｐｅｒｓｏｎ”が選択され、検索アイコン２７０が選択されると、制御部１７０は、保存された複数の映像のうち、人物の数が一人または二人の映像を検索し、検索された映像に対応するサムネールイメージをディスプレイすることができる。
【００６５】
なお、映像探索ＵＩ２００は、映像探索ＵＩ２００に含まれた複数のリスト２１０、２２０、２３０のうち、少なくとも１つを別のカテゴリに対応するリストに変更するためのカテゴリマネージャアイコン２４０、全カテゴリの条件を満たす映像を探索するための全部検索アイコン２５０及びカテゴリ別に最大値または最小値を有する条件を検索するためのアイコン２６０及び選択されたカテゴリの条件を満たす映像を探索するための検索アイコン２７０を含むことができる。
【００６６】
一方、ユーザ入力部１６０を介して映像探索ＵＩ２００の生成のためのユーザ命令が入力されると、制御部１６０は最初の探索条件を撮影された映像の数が最大の検索条件になるように制御することができる。
【００６７】
例えば、制御部１７０は、最初の人数に対するカテゴリに対応する第１リストの探索条件を制御し、撮影した映像の数が最大となり、人数が０名になる映像になるように設定することができる。この場合、探索条件は、別の探索条件より更に高い優先順位に設定されてよい。
【００６８】
そして、制御部１６０は、映像探索ＵＩ２２０の探索条件メニューを用いて、各リストの探索条件を変更することができる。例えば、第１リストにディスプレイされた第１探索条件メニューをスクロールすることで、制御部１６０は図３に示すように、探索条件が撮影された映像内に含まれた人物が一人である映像になるように、探索条件を変更することができる。
【００６９】
そして、制御部１６０は、カテゴリマネージャアイコン２４０を用いて、映像探索ＵＩ２００に含まれた複数のリスト２１０、２２０、２３０のうち少なくとも１つを別のカテゴリに対応するリストに変更することができる。例えば、図２に示すカテゴリマネージャアイコン２４０が選択されると、制御部１６０は、図４に示すように、カテゴリマネージャＵＩ４００をディスプレイすることができる。
【００７０】
カテゴリマネージャＵＩ４００は、現在設定されているカテゴリに対応するアイコン４０１、４０２、４０３、現在設定されていないカテゴリに対応するアイコン４０４、４０５、４０６、４０７、４０８、４０９、映像探索ＵＩ２００に戻る映像探索アイコン４１０及びカテゴリマネージャＵＩ４００の設定を保存部１５０に保存するための保存アイコン４２０が含まれる。ここで、現在設定されていないカテゴリには画質情報に対するカテゴリ、ＩＳＯ値に対するカテゴリ、映像の種類に対するカテゴリ、フラッシュオン／オフ（ｏｎ／ｏｆｆ）情報に対するカテゴリ、ＡＷＢ（Ａｕｔｏ  Ｗｈｉｔｅ  Ｂａｌａｎｃｉｎｇ）情報に対するカテゴリが含まれてよい。
【００７１】
カテゴリマネージャＵＩ４００には、現在設定されているカテゴリに対応するアイコン４０１、４０２、４０３が現在設定されていないカテゴリに対応するアイコン４０４、４０５、４０６、４０７、４０８、４０９と異なるように表示される。そして、ユーザ入力部１６０を介して変更対象のカテゴリを２つ選択することで、制御部１７０は現在設定されているカテゴリを現在設定されていないカテゴリに変更することができる。例えば、撮影モードアイコン４０２と画質アイコンに対応すると、制御部１７０は、映像探索ＵＩ２００にディスプレイされるカテゴリとして、撮影モードに対するカテゴリから画質に対するカテゴリに変更することができる。
【００７２】
カテゴリマネージャＵＩ４００は、アイコンまたはボタン４１０ａ、４１０ｂを含むことができる。すなわち、更に別のカテゴリは、カテゴリアイコンまたはボタン４１０ａ、４１０ｂの選択またはタッチによってディスプレイされたカテゴリに追加的にカテゴリマネージャＵＩ４００のスクリーン上にディスプレイされてよい。ディスプレイされたカテゴリは、スクリーンにディスプレイされない別のカテゴリと調和するように小さいサイズに変更されてよい。いくつかのディスプレイされたカテゴリは、スクリーンにディスプレイされていない別のカテゴリがディスプレイされる空間を提供するためにスクリーンから消えてよい。
【００７３】
カテゴリマネージャＵＩ４００にディスプレイされたリストの選択またはタッチによって、カテゴリ名、探索条件は変更されてよく、新たな条件は現在存在する探索条件に設定されたり追加されてよい。設定は、保存部１５０に保存されてよく、カテゴリマネージャＵＩ４００が選択されると、カテゴリマネージャＵＩ４００は保存された設定によってディスプレイされてよい。
【００７４】
そして、図２に示すように、映像探索ＵＩ２００がディスプレイされた状態で、映像探索ＵＩ２００に含まれたサムネールイメージのうちの１つが選択されると、制御部１７０は、選択されたサムネールイメージに対応する映像を全画面でディスプレイすることができる。例えば、図２に示すように、映像探索ＵＩ２００がディスプレイされた状態で、第１リスト２１０の第１サムネールイメージ２１１が選択（例えば、第１サムネールイメージを１回タッチ）されると、制御部１７０は、図５に示すように、第１サムネールイメージ２１１に対応する映像を全画面でディスプレイする。
【００７５】
選択されたサムネールイメージに対応するイメージが動画イメージを代表する代表イメージ（または、動画ファイル）である場合、代表イメージまたは保存された動画ファイルによる動画は、図５に示すように、映像探索ＵＩ２００のスクリーンにディスプレイされる。
【００７６】
そして、図２に示すように、映像探索ＵＩ２００がディスプレイされた状態で、映像探索ＵＩ２００に含まれたサムネールイメージのうち少なくとも１つが選択されると、制御部１７０は選択されたサムネールイメージに対応する映像を保存部１５０の特定領域（例えば、ＦＡＶＯＲＡＴＥフォルダ）に保存することができる。例えば、図２に示すように、映像探索ＵＩ２００がディスプレイされた状態で、第１リスト２１０の第１サムネールイメージ２１１が選択（例えば、第１サムネールイメージを２回タッチ）されると、制御部１７０は、図６に示すように、制御部１７０は第１サムネールイメージ２１１に対応する映像を特定領域に保存するか否かを問い合わせる保存問い合わせメッセージ６１０をディスプレイする。そして、保存問い合わせメッセージ６１０を通じて、ユーザ命令が入力されると、制御部１７０は、選択された第１サムネールイメージ２１１に対応する映像を特定保存領域に保存することができる。
【００７７】
映像探索ＵＩ２００は、お気に入りフォルダまたは保存部１５０の特定領域に保存された映像を選択してディスプレイするためのイメージをディスプレイすることができる。映像探索ＵＩ２００は、お気に入りフォルダを示すためのマーク（図示せず）を含むことができる。マークは、イメージによってディスプレイされてよい。イメージによるマークの選択またはタッチによって、イメージは図５に示すようにディスプレイされてよい。
【００７８】
映像探索ＵＩ２００は、アイコンまたはボタン２００ａ、２００ｂを含むことができる。すなわち、別のリストは、アイコンまたはボタン２００ａ、２００ｂの選択またはタッチによって、映像探索ＵＩ２００のスクリーンにディスプレイされてよい。この場合、ディスプレイされたリストは、別のリストのディスプレイに適するようにサイズが変更されてよい（または、サイズが更に小さくてよい）。ディスプレイされたリストのうちの１つは消えてよく、更に別のリストは映像探索ＵＩ２００のスクリーンに挿入されてディスプレイされてよい。アイコン２００ａ、２００ｂの何れか一方は消えるか、カテゴリマネージャＵＩ４００のリスト配列に応じてディスプレイされたリストの側面に配列された更に別のリストをディスプレイするのに使用されてよい。３つのカテゴリアイコンが映像探索ＵＩ２００にディスプレイされた際、更に別のリストは消え、カテゴリマネージャＵＩ４００のリスト配列に応じてディスプレイされたリストの側面に配列されてよい。３つのカテゴリアイコンがアイコン４０１、４０２、４０３である場合、アイコン４０９はアイコン２００ａの選択によってディスプレイされてよい。３つのカテゴリアイコンがアイコン４０１、４０２、４０３の場合、カテゴリアイコンはアイコン２００ａの選択によって追加されたりディスプレイされない。カテゴリアイコン４０１は、最後のアイコン（例えば、上左側アイコン、カテゴリマネージャＵＩ４００に配列されたアイコン）だからである。
【００７９】
上述のような映像撮影装置１００によって、ユーザは多様なカテゴリを基準に自分所望の映像を検索することができるようになる。
【００８０】
以下では、図７を参照して、映像撮影装置１００のＵＩ提供方法についてより詳細に説明する。
【００８１】
まず、映像撮影装置１００は、撮影部１１０を介して映像を撮影する（Ｓ７１０）。
【００８２】
そして、映像撮影装置１００は、撮影された映像を分析する（Ｓ７２０）。具体的には、映像撮影装置１００は顔認識技術を用いて撮影された映像に含まれた人物の数を分析することができる。なお、映像撮影装置１００は、撮影当時の撮影情報を用いて撮影モード及び設定情報を分析することができる。なお、映像撮影装置１００はＧＰＳ情報を用いて撮影された映像の撮影位置を分析することができる。
【００８３】
映像撮影装置１００は、撮影位置に関する情報を受信するためのＧＰＳ情報システムと通信するためのインターフェース（図示せず）を含むことができる。撮影位置に関する情報は、映像撮影装置１００の位置または映像撮影装置１００によってフォーカスが合わせられたり撮影されたオブジェクトの位置であってよい。オブジェクトは、撮影されたイメージに含まれてよい。この場合、制御部１７０は、撮影位置またはオブジェクトまたは映像撮影装置１００の位置を示すためのＧＰＳ情報の受信によるＧＰＳ情報を処理するための機能を含むことができる。
【００８４】
そして、映像撮影装置１００は、分析結果を用いて撮影された映像の映像情報を生成して保存する（Ｓ７３０）。このとき、撮影された映像の映像情報は、撮影された映像に含まれた人数の数に関する情報、撮影された映像の撮影モード情報、撮影された映像の撮影位置情報及び撮影された映像の設定情報を含む。
【００８５】
そして、映像撮影情報１００は、映像探索を行うために、映像探索ＵＩの生成のためのユーザ命令が入力されたか否かを判断する（Ｓ７４０）。このとき、映像撮影装置１００は、映像撮影装置１００に具備されたボタンまたは映像撮影装置１００のディスプレイ部１３０にディスプレイされたメニューを通じて映像探索ＵＩの生成のためのユーザ命令を入力することができる。
【００８６】
映像探索ＵＩの生成のためのユーザ命令が入力されると（Ｓ７４０−Ｙ）、映像撮影装置１００は撮影された映像の情報を用いて映像探索ＵＩをディスプレイする（Ｓ７５０）。
【００８７】
このとき、映像探索ＵＩは、図２に示すように、複数のカテゴリのそれぞれに対応する複数のリストを含む。ここで、複数のリストは、図２に示すように、それぞれに対応するカテゴリ内で探索条件を変更する探索条件メニュー及び前記探索条件メニューによって変更された探索条件を満たす映像のサムネールイメージを含む。
【００８８】
このとき、ユーザ入力部１６０を介して映像探索ＵＩ２００の生成のためのユーザ命令が入力されると、映像撮影装置１００は最初の探索条件を、撮影された映像の数が最大になる検索条件になるように制御することができる。そして、映像撮影装置１００は、映像探索ＵＩ２２０の探索条件メニューを用いて、各リストの探索条件を変更することができる。
【００８９】
そして、映像撮影装置１００は、ユーザ命令に応じて、映像探索ＵＩ２００に含まれた複数のリスト２１０、２２０、２３０のうち少なくとも１つを別のカテゴリに対応するリストに変更することができる。
【００９０】
映像探索ＵＩ２００がディスプレイされた状態で、映像探索ＵＩ２００に含まれたサムネールイメージのうちの１つが選択（例えば、サムネールイメージを１回タッチ）されると、映像撮影装置１００は選択されたサムネールイメージに対応する映像を全画面でディスプレイすることができる。なお、映像探索ＵＩ２００がディスプレイされた状態で、映像探索ＵＩ２００に含まれたサムネールイメージのうちの１つが選択（例えば、サムネールイメージを連続して２回タッチ）されると、制御部１７０は、選択されたサムネールイメージに対応する映像を保存部１５０の特定領域（例えば、ＦＡＶＯＲＡＴＥフォルダ）に保存することができる。
【００９１】
上述のようなＵＩ提供方法によって、ユーザは多様なカテゴリを基準に自分所望の映像を検索することができるようになる。
【００９２】
上述のような多様な実施形態に係るＵＩ提供方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【００９３】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９４】
１００  映像撮影装置
１１０  撮影部
１２０  映像処理部
１３０  ディスプレイ部
１４０  ＵＩ生成部
１５０  保存部
１６０  ユーザ入力部
１７０  制御部
【図１】
2015508604.tif 000004
【図２】
2015508604.tif 000005
【図３】
2015508604.tif 000006
【図４】
2015508604.tif 000007
【図５】
2015508604.tif 000008
【図６】
2015508604.tif 000009
【図７】
2015508604.tif 000010
【国際調査報告】
2015508604.tif 000011
2015508604.tif 000012
2015508604.tif 000013
2015508604.tif 000014
2015508604.tif 000015
2015508604.tif 000016